(57)【特許請求の範囲】
【請求項１】
累積動作を行う機能を有するフォトセンサであって、
前記フォトセンサは、トランジスタ、前記トランジスタのゲートと電気的に接続されたフォトダイオード、及び前記フォトダイオードを介してトランジスタのゲートと電気的に接続された配線を有し、
前記配線は、前記トランジスタのソース及びドレインのいずれとも接続されておらず、
前記配線の電位の変更、及び、前記累積動作に要する時間の変更を行い、前記トランジスタのゲートの電位を変化させ、感度を変更することができる機能を有し、
前記トランジスタのソース又はドレインの一方と電気的に接続された出力信号線をプリチャージする機能を有することを特徴とするフォトセンサ。
【発明の詳細な説明】
【技術分野】
【０００１】
技術分野は、表示装置とその駆動方法に関する。特に、フォトセンサを有する表示装置
とその駆動方法に関する。また、半導体装置とその駆動方法に関する。
【背景技術】
【０００２】
近年、タッチセンサを搭載した表示装置が注目されている。タッチセンサを搭載した表
示装置は、タッチパネル又はタッチスクリーンなどと呼ばれている（以下、これを単に「
タッチパネル」と呼ぶ）。タッチセンサには、動作原理の違いにより、抵抗膜方式、静電
容量方式、光方式などがあり、被検出物（ペン、指など）が表示装置に接触したことを検
出することができる。そのため、タッチセンサを入力装置として用い、表示装置の制御な
どを行うためのデータを入力することができる。また、光方式のタッチセンサを搭載した
表示装置は、密着型エリアセンサとして用いることもできる（例えば、特許文献１）。
【０００３】
また、表示パネルを有さない装置の一例として、イメージセンサ等の半導体装置が挙げ
られる。
【先行技術文献】
【特許文献】
【０００４】
【特許文献１】特開２００１−２９２２７６号公報
【発明の概要】
【発明が解決しようとする課題】
【０００５】
上記の様なフォトセンサを有する表示装置では、フォトセンサへの入射光の強度が強す
ぎる場合や弱すぎる場合、撮像の精度に影響を及ぼすという問題がある。撮像の精度が低
下すると、検出位置の誤認識や、取り込み画像が不鮮明になる。特に、外部からの光（外
光）の影響を受けやすい。
【０００６】
上記の問題に鑑み、入射光の強度にかかわらず、高精度の撮像を行うことを目的の一と
する。
【課題を解決するための手段】
【０００７】
表示装置の一態様は、画素にフォトセンサが配置された表示パネルを有し、フォトセン
サにより入射光を測定し、入射光に応じてフォトセンサの感度を変更する機能を有してい
る。
【０００８】
また、表示装置の他の一態様は、画素にフォトセンサが配置された表示パネルを有し、
フォトセンサにおいて第１の撮像を行って被検出物の画像を生成し、当該画像からフォト
センサへの入射光を測定し、入射光に応じてフォトセンサの感度を変更した後に第２の撮
像を行う機能を有している。
【０００９】
即ち、画素に配置されたフォトセンサは入射光を測定する機能及び被検出物の撮像を行
う機能を有している。入射光を測定する手法は、撮像した画像における濃度のヒストグラ
ムから画像の明るさ（輝度）を検出すればよい。
【００１０】
また、感度の変更の手法は、フォトセンサに印加される電圧を調整してもよい。
【００１１】
また、フォトセンサは、トランジスタ及びトランジスタのゲートに電気的に接続される
フォトダイオードを有しており、フォトダイオードに印加される電圧を調整することで、
フォトセンサの感度を変更してもよい。
【００１２】
また、上記トランジスタのソースとドレインとの間に印加される電圧を調整することで
、フォトセンサの感度を変更してもよい。
【００１３】
また、フォトセンサは、リセット動作、累積動作、及び選択動作を行う機能を有し、累
積動作を行う時間を調整することで、フォトセンサの感度を変更してもよい。なお累積動
作は、リセット動作において初期化した後、選択動作において読み出しを行うまでの動作
である。
【００１４】
また、表示装置は画像処理部を有し、画像処理部において二値化処理を行う場合、二値
化のしきい値を変更することで、撮像の精度を調整してもよい。
【００１５】
また、表示装置の他の一態様は、画素に第１のフォトセンサが配置され、且つ、画素の
外に第２のフォトセンサが配置された表示パネルを有し、第２のフォトセンサにおいて入
射光を測定し、入射光に応じて第１のフォトセンサの感度を変更した後に撮像を行う機能
を有している。即ち、画素に配置された第１のフォトセンサは被検出物の撮像を行う機能
を有し、画素の外に配置された第２のフォトセンサは入射光の測定を行う機能を有してい
る。フォトセンサの感度の変更は、上記と同様に行う。
【発明の効果】
【００１６】
入射光の強度に応じてフォトセンサの感度を変更することで、常に高精度な撮像を行う
ことが可能である。特に、外光の影響を受けにくくすることができる。
【図面の簡単な説明】
【００１７】
【図１】表示装置の構成を説明する図。
【図２】表示装置の構成を説明する図。
【図３】表示装置の構成を説明する図。
【図４】タイミングチャート。
【図５】表示装置の構成を説明する図。
【図６】表示装置の構成を説明する図。
【図７】表示装置の断面図を説明する図。
【図８】表示装置の断面図を説明する図。
【図９】表示装置の断面図を説明する図。
【図１０】表示装置を用いた電子機器の一例を示す図。
【図１１】表示装置の構成を説明する図。
【図１２】表示装置を用いた電子機器の一例を示す図。
【図１３】ヒストグラム。
【図１４】ヒストグラム。
【発明を実施するための形態】
【００１８】
以下に、実施の形態について、図面を用いて詳細に説明する。但し、以下の実施の形態
は多くの異なる態様で実施することが可能であり、趣旨及びその範囲から逸脱することな
くその形態及び詳細を様々に変更し得ることは、当業者であれば容易に理解される。従っ
て、以下に示す実施の形態の記載内容に限定して解釈されるものではない。なお、実施の
形態を説明するための全図において、同一部分又は同様な機能を有する部分には同一の符
号を付し、その繰り返しの説明は省略する。
【００１９】
（実施の形態１）
本実施の形態では、表示装置について図１〜図４を参照して説明する。
【００２０】
表示パネルの構成について、図１を参照して説明する。表示パネル１００は、画素回路
１０１、表示素子制御回路１０２及びフォトセンサ制御回路１０３を有する。画素回路１
０１は、行列方向にマトリクス状に配置された複数の画素１０４を有する。各々の画素１
０４は、表示素子１０５とフォトセンサ１０６を有する。フォトセンサ１０６は、表示パ
ネル１００に接触又は接近した被検出物を検出し撮像することができる。なお、フォトセ
ンサ１０６は、画素１０４の外に設けてもよい。また、フォトセンサ１０６の個数は、表
示素子１０５の個数と異なっていてもよい。
【００２１】
表示素子１０５は、薄膜トランジスタ（Ｔｈｉｎ  Ｆｉｌｍ  Ｔｒａｎｓｉｓｔｏｒ：
ＴＦＴ）、保持容量、及び液晶素子などを有する。薄膜トランジスタは、保持容量への電
荷の注入もしくは保持容量からの電荷の排出を制御する機能を有する。保持容量は、液晶
素子に印加する電圧に相当する電荷を保持する機能を有する。液晶素子に電圧を印加し、
光の透過又は非透過を制御することで、階調表示が行われる。液晶層を透過する光は、光
源（バックライト）によって液晶表示装置の裏面から照射される光を用いる。
【００２２】
なお、表示素子１０５が液晶素子を有する場合について説明したが、発光素子などの他
の素子を有していてもよい。発光素子は、電流または電圧によって輝度が制御される素子
であり、具体的には発光ダイオード、ＯＬＥＤ（Ｏｒｇａｎｉｃ  Ｌｉｇｈｔ  Ｅｍｉｔ
ｔｉｎｇ  Ｄｉｏｄｅ）等が挙げられる。
【００２３】
フォトセンサ１０６は、受光することで電気信号を生成する機能を有する素子（受光素
子）と、トランジスタとを有する。受光素子としては、フォトダイオード等を用いること
ができる。なお、フォトセンサ１０６は、被検出物により外光が遮蔽されて影になってい
るか、あるいは外光が入射されているか、を表示パネル１００への入射光により判別する
ことで、被検出物を検出する。また、バックライトから照射され被検出物によって反射し
た光を利用することもできる。外光と反射光との両方を利用してもよい。
【００２４】
表示素子制御回路１０２は、表示素子１０５を制御するための回路であり、ビデオデー
タ信号線などの信号線（「ソース信号線」ともいう。）を介して表示素子１０５に信号を
入力する表示素子駆動回路１０７と、走査線（「ゲート信号線」ともいう。）を介して表
示素子１０５に信号を入力する表示素子駆動回路１０８を有する。例えば、走査線側の表
示素子駆動回路１０８は、特定の行に配置された画素が有する表示素子を選択する機能を
有する。また、信号線側の表示素子駆動回路１０７は、選択された行の画素が有する表示
素子に任意の電位を与える機能を有する。なお、走査線側の表示素子駆動回路１０８によ
り高電位を印加された表示素子では、薄膜トランジスタが導通状態となり、信号線側の表
示素子駆動回路１０７により与えられる電荷が供給される。
【００２５】
フォトセンサ制御回路１０３は、フォトセンサ１０６を制御するための回路であり、フ
ォトセンサ出力信号線、フォトセンサ基準信号線等の信号線側のフォトセンサ読み出し回
路１０９と、走査線側のフォトセンサ駆動回路１１０を有する。走査線側のフォトセンサ
駆動回路１１０は、特定の行に配置された画素が有するフォトセンサ１０６に対して、後
述するリセット動作と選択動作とを行う機能を有する。また、信号線側のフォトセンサ読
み出し回路１０９は、選択された行の画素が有するフォトセンサ１０６の出力信号を取り
出す機能を有する。なお、信号線側のフォトセンサ読み出し回路１０９は、アナログ信号
であるフォトセンサの出力を、ＯＰアンプを用いてアナログ信号のまま表示装置外部に取
り出す構成や、Ａ／Ｄ変換回路を用いてデジタル信号に変換してから表示装置外部に取り
出す構成が考え得る。
【００２６】
画素１０４の回路図について、図２を用いて説明する。画素１０４は、トランジスタ２
０１、保持容量２０２及び液晶素子２０３を有する表示素子１０５と、フォトダイオード
２０４、トランジスタ２０５及びトランジスタ２０６を有するフォトセンサ１０６とを有
する。
【００２７】
トランジスタ２０１は、ゲートがゲート信号線２０７に、ソース又はドレインの一方が
ビデオデータ信号線２１０に、ソース又はドレインの他方が保持容量２０２の一方の電極
と液晶素子２０３の一方の電極に電気的に接続されている。保持容量２０２の他方の電極
と液晶素子２０３の他方の電極は一定の電位に保たれている。液晶素子２０３は、一対の
電極と、該一対の電極の間に液晶層を含む素子である。
【００２８】
トランジスタ２０１は、ゲート信号線２０７に”Ｈ”（Ｈｉｇｈの電圧）が印加される
と、ビデオデータ信号線２１０の電位を保持容量２０２と液晶素子２０３に印加する。保
持容量２０２は、印加された電位を保持する。液晶素子２０３は、印加された電位により
、光の透過率を変更する。
【００２９】
フォトダイオード２０４は、一方の電極がフォトダイオードリセット信号線２０８に、
他方の電極がトランジスタ２０５のゲートに電気的に接続されている。トランジスタ２０
５は、ソース又はドレインの一方がフォトセンサ基準信号線２１２に、ソース又はドレイ
ンの他方がトランジスタ２０６のソース又はドレインの一方に電気的に接続されている。
トランジスタ２０６は、ゲートが読み出し信号線２０９に、ソース又はドレインの他方が
フォトセンサ出力信号線２１１に電気的に接続されている。
【００３０】
次に、フォトセンサ読み出し回路１０９の構成について、図３を用いて説明する。図３
において、画素１列分のフォトセンサ読み出し回路３００は、ｐ型トランジスタ３０１、
保持容量３０２、を有する。また、フォトセンサ読み出し回路１０９は当該画素列のフォ
トセンサ出力信号線２１１、プリチャージ信号線３０３を有する。
【００３１】
フォトセンサ読み出し回路３００では、画素内におけるフォトセンサの動作に先立ち、
フォトセンサ信号線２１１の電位を基準電位に設定する。図３では、プリチャージ信号線
３０３を”Ｌ”（Ｌｏｗの電圧）とすることで、フォトセンサ出力信号線２１１を基準電
位である高電位に設定することができる。なお、保持容量３０２は、フォトセンサ出力信
号線２１１の寄生容量が大きい場合には、特別に設けなくても良い。なお、基準電位は、
低電位とする構成も可能である。この場合、ｎ型トランジスタを用いることで、プリチャ
ージ信号線３０３を”Ｈ”とすることで、フォトセンサ出力信号線２１１を基準電位であ
る低電位に設定することができる。
【００３２】
次に、本表示パネルにおけるフォトセンサの読み出し動作について、図４のタイミング
チャートを用いて説明する。図４において、信号４０１〜信号４０４は、図２におけるフ
ォトダイオードリセット信号線２０８、トランジスタ２０６のゲートが接続された読み出
し信号線２０９、トランジスタ２０５のゲートが接続されたゲート信号線２１３、フォト
センサ出力信号線２１１の電位に相当する。また、信号４０５は、図３におけるプリチャ
ージ信号線３０３の電位に相当する。
【００３３】
時刻Ａにおいて、フォトダイオードリセット信号線２０８の電位（信号４０１）を”Ｈ
”とする（リセット動作）と、フォトダイオード２０４が導通し、トランジスタ２０５の
ゲートが接続されたゲート信号線２１３の電位（信号４０３）が”Ｈ”となる。また、プ
リチャージ信号線３０３の電位（信号４０５）を”Ｌ”とすると、フォトセンサ出力信号
線２１１の電位（信号４０４）は”Ｈ”にプリチャージされる。
【００３４】
時刻Ｂにおいて、フォトダイオードリセット信号線２０８の電位（信号４０１）を”Ｌ
”にする（累積動作）と、フォトダイオード２０４のオフ電流により、トランジスタ２０
５のゲートが接続されたゲート信号線２１３の電位（信号４０３）が低下し始める。フォ
トダイオード２０４は、外光が照射されるとオフ電流が増大するので、照射される光の量
に応じてトランジスタ２０５のゲートが接続されたゲート信号線２１３の電位（信号４０
３）は変化する。すなわち、トランジスタ２０５のソースとドレイン間の電流が変化する
。
【００３５】
時刻Ｃにおいて、読み出し信号線２０９の電位（信号４０２）を”Ｈ”にする（選択動
作）と、トランジスタ２０６が導通し、フォトセンサ基準信号線２１２とフォトセンサ出
力信号線２１１とが、トランジスタ２０５とトランジスタ２０６とを介して導通する。す
ると、フォトセンサ出力信号線２１１の電位（信号４０４）は、低下していく。なお、時
刻Ｃ以前に、プリチャージ信号線３０３の電位（信号４０５）は”Ｈ”とし、フォトセン
サ出力信号線２１１のプリチャージを終了しておく。ここで、フォトセンサ出力信号線２
１１の電位（信号４０４）が低下する速さは、トランジスタ２０５のソースとドレイン間
の電流に依存する。すなわち、フォトダイオード２０４に照射されている光の量に応じて
変化する。
【００３６】
時刻Ｄにおいて、読み出し信号線２０９の電位（信号４０２）を”Ｌ”にすると、トラ
ンジスタ２０６が遮断され、フォトセンサ出力信号線２１１の電位（信号４０４）は、時
刻Ｄ以後、一定値となる。ここで、一定値となる値は、フォトダイオード２０４に照射さ
れている光の量に応じて変化する。したがって、フォトセンサ出力信号線２１１の電位を
取得することで、フォトダイオード２０４に照射されている光の量を知ることができる。
【００３７】
上記のように、個々のフォトセンサの動作は、リセット動作、累積動作、選択動作を繰
り返すことで実現される。表示装置において、全画素のフォトセンサのリセット動作、累
積動作、選択動作を実行することで、表示パネルに接触又は接近した被検出物を撮像する
ことができる。
【００３８】
ここで、表示パネル１００への入射光の強度が強すぎる場合、撮像の精度が低下し、画
像が不鮮明になる可能性がある。特に外部環境として、外光の影響を受けやすい。
【００３９】
そのような場合、表示パネル１００への入射光の強度に応じてフォトセンサ１０６の感
度を変更することで、撮像の精度を向上させることができる。
【００４０】
その手順としては、撮像した被検出物の画像から撮像時におけるフォトセンサ１０６へ
の入射光の測定を行い、入射光の強度に応じてフォトセンサ１０６の感度を変更して最適
化を行い、最適化されたフォトセンサ１０６によって再度撮像を行えばよい。
【００４１】
撮像した画像から入射光の測定を行うことで、画像に合わせて最適な感度に自動調整す
ることが可能である。以下に、感度を変更する方法を説明する。
【００４２】
まず、撮像した被検出物の画像における輝度のヒストグラムから、入射光の強度を判定
する。図１３にヒストグラムを示す。縦軸は画素数、横軸は輝度値である。輝度は最小値
を０、最大値を２５５とした。
【００４３】
そして、ヒストグラムから入射光の強度の判定を行う。例えば、図１３の実線１３０１
で示すヒストグラムは、被検出物の検出位置を示すピーク１３０２と、検出位置以外を示
すピーク１３０３との２つのピークの輝度値が分離している。すなわち、撮像された画像
において明暗の区別が明確になるため、入射光は適正であると判断される。
【００４４】
また、破線１３１１で示すヒストグラムは、入射光が暗い場合であり、検出位置を示す
ピーク１３０２と検出位置以外を示すピーク１３１２との２つのピークの輝度値が接近し
ている。さらに接近することでピークが１つしか確認できなくなる。すなわち、撮像され
た画像において明暗の区別が困難になるため、被検出物を正確に認識することが難しく、
検出位置の判断も困難になる可能性がある。
【００４５】
また、破線１３２１で示すヒストグラムは、入射光が明るい場合であり、検出位置以外
を示すピーク１３２２の１つしかピークが確認できない。すなわち、撮像された画像にお
いて明暗の区別が困難になるため、被検出物を正確に認識することが難しく、検出位置の
判断も困難になる可能性がある。
【００４６】
このように、ヒストグラムにおいて２つのピークの輝度値が接近している場合又はピー
クが１つしか確認できない場合に、入射光が暗すぎる又は明るすぎると判定される。
【００４７】
また、撮像した画像の輝度から表示パネル１００への入射光の強度を算出してもよい。
入射光の強度には、上限値及び下限値を設定されている。測定した強度が下限値から上限
値までの範囲に入る場合は、入射光は適正であると判定される。しかし、強度が下限値未
満（又は以下）の場合は、入射光が暗すぎると判定される。また、強度が上限値以上であ
る場合は、入射光が明るすぎると判定される。
【００４８】
そして、入射光が暗すぎる場合や明るすぎる場合には、フォトセンサの感度の変更を行
う。感度を変更することで、ヒストグラムにおいて２つのピークの輝度値が分離して得ら
れ、画像を鮮明にすることができる。
【００４９】
感度の変更の具体的な手法としては、図２の構成において、（１）フォトダイオードリ
セット信号線２０８の電位（信号４０１）を変更して、フォトダイオード２０４に印加さ
れる電圧、すなわちトランジスタ２０５のゲートに印加される電圧（信号４０３）を変更
する、（２）フォトセンサ基準信号線２１２の電位とプリチャージ信号線３０３の電位（
信号４０５）との電位差を変更して、トランジスタ２０５のソースとドレインとの間に印
加される電圧を変更する、（３）フォトセンサ１０６の累積動作に要する時間（累積時間
：時刻Ｂから時刻Ｃまでの時間）を変更することが有効である。また、これらの手法を組
み合わせて感度を変更することも効果的である。
【００５０】
（１）の手法では、フォトダイオード２０４に印加する電圧を大きくすることで、光を
蓄積することができる量が増えるためフォトセンサ１０６の感度が向上する。（２）の手
法では、トランジスタ２０５のソースとドレインとの間の電圧を大きくすることで、光を
蓄積することができる量が増えるため、フォトセンサ１０６の感度が向上する。そして（
３）の手法では、累積時間を長くすることで光を蓄積する時間が長くなるため、フォトセ
ンサ１０６の感度が向上する。（１）〜（３）の手法を用いることで、外光が弱く入射光
の強度が小さい環境においても、フォトセンサの感度を向上させ、撮像の精度を高めるこ
とができる。また、入射光の強度が大きい環境の場合は、逆の処理の動作を行いフォトセ
ンサ１０６の感度を下げることで撮像の精度を高めてもよい。
【００５１】
また、フォトセンサを有する表示装置は、被検出物が表示パネルに接触している場合だ
けでなく、非接触の場合にも検出を行うことができる。しかし、非接触の被検出物は、接
触している被検出物よりも検出が困難である。なぜならば、表示パネルから被検出物が離
れるに伴い、被検出物の影が薄くなり明暗の区別が困難になるためである。したがって、
（１）〜（３）の手法を用いて感度を向上させることで、非接触の被検出物に対しても高
精度の撮像を行うことができる。
【００５２】
なお、これらの感度の変更は手動で行うこともできる。手動で行う場合は、入射光の測
定は行わなくてもよく、撮像された画像の明るさ等を判断して（１）〜（３）を適宜実施
すればよい。
【００５３】
なお、入射光の測定は、必ずしも撮像された被検出物の画像の輝度を用いなくてもよい
。例えば、撮像を行う前に、画素に設けられたフォトセンサの一部または全部を用いて、
予め入射光の測定を行ってもよい。ただ、撮像した画像の輝度から入射光を測定する方が
、画像に応じて感度を変更することができるため効果的である。
【００５４】
また、バックライトの明るさを調整することで、被検出物からの反射光の輝度を調節す
ることもできる。外光が著しく弱いような環境では特に有効である。
【００５５】
以上のような形態とすることで、入射光の強度に応じて、あるいは影の濃さに応じてフ
ォトセンサの感度を変更し、常に高精度の撮像を行うことができる。
【００５６】
なお、本実施の形態では、フォトセンサを有する表示装置について説明したが、フォト
センサを有する半導体装置にも容易に応用できる。すなわち、本実施の形態における表示
装置から、表示に要する回路、具体的には、表示素子制御回路１０２、表示素子１０５を
取り除いて、半導体装置を構成することができる。当該半導体装置としては、例えばイメ
ージセンサが挙げられる。このような半導体装置は、フォトセンサが設けられた入力部に
接触または接近する被検出物を、上記と同様に検出することができる。
【００５７】
本実施の形態は、他の実施の形態又は実施例と適宜組み合わせて実施することが可能で
ある。
【００５８】
（実施の形態２）
本実施の形態では、入射光を測定する方法について、実施の形態１とは異なる構成を図
５を用いて説明する。
【００５９】
図５に、表示パネルの一例を示す。図５では、画素の外に第２のフォトセンサ５０２を
設けている点において、図１とは異なる。第２のフォトセンサ５０２は、表示パネル１０
０への入射光として外光の測定を行う。なお、第２のフォトセンサ５０２は表示パネル１
００の外に設けてもよい。
【００６０】
本実施の形態では、予め第２のフォトセンサ５０２で入射光の測定を行い、実施の形態
１で説明した手法を用いて画素１０４に配置された第１のフォトセンサ５０１の感度を入
射光の強度に応じて調整した後、被検出物の検出を行う。入射光に応じて感度を変更する
ため、高精度の撮像が可能となる。この場合、撮像した画像の輝度から入射光の強度を測
定する処理を省くことができる。
【００６１】
また、第２のフォトセンサ５０２の個数は、１個でも複数個でもよい。複数個にした場
合は、複数の第２のフォトセンサ５０２から得られた入射光の強度のうち、最大値、最小
値、又は平均値を適宜用いることができる。通常は平均値を用い、最大値と最小値との差
が大きい場合は、第２のフォトセンサ５０２のいずれかが遮蔽されている可能性が高いた
め、最大値を用いることが好ましい。また、最大値及び最小値が共に小さい場合は、外光
が暗い可能性が高いため、最小値を用いることが好ましい。なお、第２のフォトセンサ５
０２が１個だと、第２のフォトセンサ５０２が局所的に遮蔽されている場合、入射光の強
度が弱いと誤認され、感度が適切に調節できない可能性がある。よって、このような誤認
を避けるために第２のフォトセンサ５０２を複数設けておく方が好ましい。また、誤認防
止のために少なくとも表示パネル１００の四隅に第２のフォトセンサ５０２を設けておく
と、表示パネル１００の全体を第２のフォトセンサ５０２でまんべんなく検知できるので
好ましい。
【００６２】
本実施の形態は、他の実施の形態又は実施例と適宜組み合わせて実施することが可能で
ある。
【００６３】
（実施の形態３）
本実施の形態では、撮像した被検出物の画像に対し、入射光の強度に応じた画像処理を
施す構成について説明する。
【００６４】
撮像した被検出物の画像は、画像処理として二値化処理が施される。二値化処理とは、
撮像した被検出物の画像を、画素毎に所定の明るさ（しきい値）と比較して、明るい部分
又は暗い部分のいずれかに置きなおす処理である。ここで二値化処理のしきい値を入射光
の強度に応じて変更することで、より精度のよい撮像を行うことができる。
【００６５】
以下に、入射光の強度に応じて二値化処理のしきい値を変更する手法の一例を説明する
。図６は、本実施の形態の表示装置６０１の構成の一例であり、少なくとも表示パネル１
００と画像処理部６０２を有している。
【００６６】
まず、実施の形態１と同様にして、表示パネル１００で撮像された被検出物の画像にお
ける各画素の明るさ（輝度）を測定し、図１４のようなヒストグラムを得る。図１４では
ピーク１４０１は検出位置の輝度を示しており、ピーク１４０２は検出位置以外の輝度を
示している。輝度のデータは画像処理部６０２に送信される。
【００６７】
画像処理部６０２では、各画素の輝度を、予め設定したしきい値と比較する。そして、
画素の輝度が、しきい値未満又はしきい値以上のいずれかに偏っている場合に、入射光が
暗すぎる又は明るすぎると判定される。そして、画像処理部６０２は、フォトセンサ１０
６への入射光に応じてフォトセンサ１０６の感度を変更するための制御信号を表示パネル
１００中のフォトセンサ１０６へ供給する。
【００６８】
例えば、図１４のヒストグラムでは、予め設定したしきい値１４０３に対して、しきい
値未満である画素数が全画素数の７０％以上を占めている。この場合は、入射光が暗すぎ
ると判定される。そのため、しきい値１４０３による二値化処理では、鮮明な画像を得る
こと困難になる。逆に、しきい値以上の画素数が全画素数の７０％以上の場合は、入射光
が明るすぎると判定される（図示せず）。
【００６９】
入射光が暗すぎる又は明るすぎる場合、しきい値の変更を行う。図１４の場合、しきい
値未満及びしきい値以上の画素が全画素数の７０％未満となるよう、しきい値１４０３か
らしきい値１４０４へ変更すればよい。すると、被検出物の検出位置を示すピーク１４０
１と、検出位置以外を示すピーク１４０２との間にしきい値１４０４を設けることができ
る。そして、しきい値１４０４による二値化処理により、検出位置を暗い部分、検出位置
以外を明るい部分にそれぞれ置きかえることができる。
【００７０】
また、被検出物が表示パネルに接触している場合だけでなく、非接触の場合にも検出を
行うことができる。非接触の被検出物は、接触している被検出物よりも影が薄くなるため
、明暗の区別が困難になる。入射光に応じてしきい値を変更することで、非接触の被検出
物に対しても高精度の撮像を行うことができる。
【００７１】
以上のように、入射光の強度に応じた画像処理を行うことで、入射光が暗すぎる又は明
るすぎる場合にも、撮像の精度を向上させ、検出位置の誤認識の防止、又は取り込み画像
を鮮明にすることができる。
【００７２】
なお、画素数の偏りを７０％としなくてもよく、被検出物が画像全体に占める面積の割
合、又は求める撮像の精度に応じて変更することができる。また、しきい値を変更する方
法は、上記以外を用いてもよい。例えば、２つのピーク１４０１とピーク１４０２との谷
にしきい値１４０３をしきい値１４０４へ変更する方法、又は、しきい値で分離された２
つの部分の分散が最大とするようにしきい値を変更する方法等を用いることができる。
【００７３】
また、画素の特定の領域に絞って画像処理を行ってもよい。領域を絞って画像処理を行
うことで、処理時間を短縮することが可能である。
【００７４】
本実施の形態は、他の実施の形態又は実施例と適宜組み合わせて実施することが可能で
ある。
【００７５】
（実施の形態４）
図７に、表示パネルの断面図の一例を示す。図７に示す表示パネルでは、絶縁表面を有
する基板（ＴＦＴ基板）１００１上に、フォトダイオード１００２、トランジスタ１００
３、保持容量１００４、液晶素子１００５が設けられている。
【００７６】
フォトダイオード１００２と、保持容量１００４とは、トランジスタ１００３を作製す
るプロセスにおいて、トランジスタ１００３と共に形成することが可能である。フォトダ
イオード１００２は横型接合タイプのｐｉｎダイオードであり、フォトダイオード１００
２が有する半導体膜１００６は、ｐ型の導電性を有する領域（ｐ層）と、ｉ型の導電性を
有する領域（ｉ層）と、ｎ型の導電性を有する領域（ｎ層）とを有している。なお、本実
施の形態では、フォトダイオード１００２がｐｉｎダイオードである場合を例示している
が、フォトダイオード１００２はｐｎダイオードであっても良い。横型接合タイプのｐｉ
ｎ接合またはｐｎ接合は、ｐ型を付与する不純物と、ｎ型を付与する不純物とを、それぞ
れ半導体膜１００６の特定の領域に添加することで、形成することが出来る。
【００７７】
また、ＴＦＴ基板１００１上に成膜した一の半導体膜をエッチングなどにより所望の形
状に加工（パターニング）することで、フォトダイオード１００２の島状の半導体膜と、
トランジスタ１００３の島状の半導体膜とを一緒に形成することができ、通常のパネル作
製プロセスに追加するプロセスが不要となり、コストを低減できる。
【００７８】
なお、横型接合タイプのフォトダイオードとせずに、ｐ層、ｉ層、及びｎ層を積層させ
た構造を採用することもできる。
【００７９】
液晶素子１００５は、画素電極１００７と、液晶１００８と、対向電極１００９とを有
する。画素電極１００７は、基板１００１上に形成されており、トランジスタ１００３と
、保持容量１００４と、導電膜１０１０を介して電気的に接続されている。また、対向電
極１００９は、基板（対向基板）１０１３上に形成されており、画素電極１００７と対向
電極１００９の間に、液晶１００８が挟まれている。なお、本実施の形態では、フォトセ
ンサに用いられているトランジスタについては図示していないが、当該トランジスタも、
トランジスタ１００３を作製するプロセスにおいて、トランジスタ１００３と共に基板（
ＴＦＴ基板）１００１上に形成することが可能である。
【００８０】
画素電極１００７と、対向電極１００９の間のセルギャップは、スペーサー１０１６を
用いて制御することが出来る。図７では、フォトリソグラフィーで選択的に形成された柱
状のスペーサー１０１６を用いてセルギャップを制御しているが、球状のスペーサーを画
素電極１００７と対向電極１００９の間に分散させることで、セルギャップを制御するこ
とも出来る。
【００８１】
また液晶１００８は、基板（ＴＦＴ基板）１００１と基板（対向基板）１０１３の間に
おいて、封止材により囲まれている。液晶１００８の注入は、ディスペンサ式（滴下式）
を用いても良いし、ディップ式（汲み上げ式）を用いていても良い。
【００８２】
画素電極１００７には、透光性を有する導電性材料、例えばインジウム錫酸化物（ＩＴ
Ｏ）、酸化珪素を含むインジウム錫酸化物（ＩＴＳＯ）、有機インジウム、有機スズ、酸
化亜鉛、酸化亜鉛を含むインジウム亜鉛酸化物（ＩＺＯ）、ガリウムを含む酸化亜鉛、酸
化スズ、酸化タングステンを含むインジウム酸化物、酸化タングステンを含むインジウム
亜鉛酸化物、酸化チタンを含むインジウム酸化物、酸化チタンを含むインジウム錫酸化物
などを用いることが出来る。
【００８３】
また、本実施の形態では、透過型の液晶素子１００５を例に挙げているので、画素電極
１００７と同様に、対向電極１００９にも上述した透光性を有する導電性材料を用いるこ
とが出来る。
【００８４】
画素電極１００７と液晶１００８の間には配向膜１０１１が、対向電極１００９と液晶
１００８の間には配向膜１０１２が、それぞれ設けられている。配向膜１０１１、配向膜
１０１２はポリイミド、ポリビニルアルコールなどの有機樹脂を用いて形成することがで
き、その表面には、ラビングなどの、液晶分子を一定方向に配列させるための配向処理が
施されている。ラビングは、配向膜に圧力をかけながら、ナイロンなどの布を巻いたロー
ラーを回転させて、上記配向膜の表面を一定方向に擦ることで、行うことが出来る。なお
、酸化珪素などの無機材料を用い、配向処理を施すことなく、蒸着法で配向特性を有する
配向膜１０１１、配向膜１０１２を直接形成することも可能である。
【００８５】
また、液晶素子１００５と重なるように、特定の波長領域の光を通すことができるカラ
ーフィルタ１０１４が、基板（対向基板）１０１３上に形成されている。カラーフィルタ
１０１４は、顔料を分散させたアクリル系樹脂などの有機樹脂を基板１０１３上に塗布し
た後、フォトリソグラフィーを用いて選択的に形成することができる。また、顔料を分散
させたポリイミド系樹脂を基板１０１３上に塗布した後、エッチングを用いて選択的に形
成することもできる。或いは、インクジェットなどの液滴吐出法を用いることで、選択的
にカラーフィルタ１０１４を形成することもできる。
【００８６】
また、フォトダイオード１００２と重なるように、光を遮蔽することが出来る遮蔽膜１
０１５が、基板（対向基板）１０１３上に形成されている。遮蔽膜１０１５を設けること
で、基板（対向基板）１０１３を透過して表示パネル内に入射したバックライトからの光
が、直接フォトダイオード１００２に当たるのを防ぐことができる他、画素間における液
晶１００８の配向の乱れに起因するディスクリネーションが視認されるのを防ぐことがで
きる。遮蔽膜１０１５には、カーボンブラック、低次酸化チタンなどの黒色顔料を含む有
機樹脂を用いることができる。または、クロムを用いた膜で、遮蔽膜１０１５を形成する
ことも可能である。
【００８７】
また、基板（ＴＦＴ基板）１００１の画素電極１００７が形成されている面とは反対の
面に、偏光板１０１７を設け、基板（対向基板）１０１３の対向電極１００９が形成され
ている面とは反対の面に、偏光板１０１８を設ける。
【００８８】
液晶素子は、ＴＮ（Ｔｗｉｓｔｅｄ  Ｎｅｍａｔｉｃ）型の他、ＶＡ（Ｖｅｒｔｉｃａ
ｌ  Ａｌｉｇｎｍｅｎｔ）型、ＯＣＢ（ｏｐｔｉｃａｌｌｙ  ｃｏｍｐｅｎｓａｔｅｄ  
Ｂｉｒｅｆｒｉｎｇｅｎｃｅ）型、ＩＰＳ（Ｉｎ−Ｐｌａｎｅ  Ｓｗｉｔｃｈｉｎｇ）型
等であっても良い。なお、本実施の形態では、画素電極１００７と対向電極１００９の間
に液晶１００８が挟まれている構造の液晶素子１００５を例に挙げて説明したが、本発明
の一態様に係る表示パネルはこの構成に限定されない。ＩＰＳ型のように、一対の電極が
、共に基板（ＴＦＴ基板）１００１側に形成されている液晶素子であっても良い。
【００８９】
また、本実施の形態では、フォトダイオード１００２、トランジスタ１００３、保持容
量１００４に、薄膜の半導体膜を用いている場合を例に挙げているが、単結晶半導体基板
、ＳＯＩ基板などを用いて形成されていても良い。
【００９０】
光は、矢印１０２５のように基板（ＴＦＴ基板）１００１側から照射される。被検出物
１０２１において光が遮られるため、フォトダイオード１００２への入射光が遮られる。
すなわち、フォトダイオード１００２は、被検出物の影を検出することになる。
【００９１】
また、バックライトからの光を用いる場合、基板（対向基板）１０１３側から照射され
、液晶素子１００５を通って、基板（ＴＦＴ基板）１００１側にある被検出物１０２１に
照射され、フォトダイオード１００２に入射する。すなわち被検出物からの反射光を検出
することになる。
【００９２】
また、本実施の形態の表示装置は、フォトセンサ（フォトダイオード１００２）の受光
面の向きと、表示パネルの表示面（基板１００１側）の向きとが同一である。そのため、
表示パネルにおいて、被検出物を撮像することができ、ＣＣＤイメージセンサ等を設けた
場合に比べて有効である。
【００９３】
本実施の形態は、他の実施の形態又は実施例と適宜組み合わせて実施することが可能で
ある。
【００９４】
（実施の形態５）
図８に、実施の形態２とは異なる表示パネルの断面図の一例を示す。図８に示す表示パ
ネルでは、フォトダイオード１００２は、トランジスタ１００３のゲート電極を構成する
導電膜１０１９で、遮蔽膜２０１９を構成している点が、図７と異なる。フォトダイオー
ド１００２に遮蔽膜を構成することで、バックライトの光がｉ型の導電性を有する領域（
ｉ層）に直接入射することを回避することができる。
【００９５】
また、フォトダイオード１００２を横型接合タイプのｐｉｎダイオードとする際には、
ｐ型の導電性を有する領域（ｐ層）とｎ型の導電性を有する領域（ｎ層）とを形成する際
に、遮蔽膜をマスクとして用いることで、セルフアラインで形成することができる。これ
は、微細なフォトダイオードを作製する際に有効であり、画素サイズの縮小や開口率の向
上に有効である。
【００９６】
以上のような形態とすることで、非接触の被検出物の動きを検出することで、データを
入力することのできる表示パネルを提供することができる。
【００９７】
なお、図８では横型接合タイプのフォトダイオードを採用しているが、ｐ層、ｉ層、及
びｎ層を積層させた構造を採用することもできる。
【００９８】
なお、フォトダイオード１００２への入射光について、及びフォトセンサの受光面と表
示パネルの表示面との向きについては、実施の形態４と同様である。
【００９９】
本実施の形態は、他の実施の形態又は実施例と適宜組み合わせて実施することが可能で
ある。
【０１００】
（実施の形態６）
図９に、実施の形態２とは異なる表示パネルの断面図の別の一例を示す。図９に示す表
示パネルでは、光が、矢印２０２５のように基板（対向基板）１０１３側から照射される
点において、図７と異なる。この場合、フォトダイオード１００２の上部の遮蔽膜１０１
５に開口を設ける等、光がフォトダイオード１００２に入射するようにすればよい。
【０１０１】
本実施の形態では、フォトダイオード１００２の下部に遮蔽膜２０１５を設ける。遮蔽
膜２０１５を設けることで、基板（ＴＦＴ基板）１００１を透過して表示パネル内に入射
したバックライトからの光が、直接フォトダイオード１００２に当たるのを防ぐことがで
き、高精度の画像撮像が可能な表示パネルを提供することができる。遮蔽膜２０１５には
、カーボンブラック、低次酸化チタンなどの黒色顔料を含む有機樹脂を用いることができ
る。または、クロムを用いた膜で、遮蔽膜２０１５を形成することも可能である。
【０１０２】
なお、図９では横型接合タイプのフォトダイオードを採用しているが、ｐ層、ｉ層、及
びｎ層を積層させた構造を採用することもできる。
【０１０３】
フォトセンサ（フォトダイオード１００２）の受光面が表示パネルの表示面（基板１０
１３側）に向いていることで、表示パネルにおいて被検出物を撮像できる。
【０１０４】
また、バックライトからの光を用いる場合、基板（ＴＦＴ基板）１００１側から照射さ
れ、液晶素子１００５を通って、基板（対向基板）１０１３側にある被検出物１０２１に
照射され、フォトダイオード１００２に入射する。すなわち被検出物からの反射光を検出
することになる。
【０１０５】
本実施の形態は、他の実施の形態又は実施例と適宜組み合わせて実施することが可能で
ある。
【０１０６】
（実施の形態７）
フォトセンサを有する表示パネルを用いたライティングボード（黒板、ホワイトボード
等）の例を示す。
【０１０７】
例えば、図１０の表示パネル９６９６の位置にフォトセンサを有する表示パネルを設け
る。
【０１０８】
表示パネル９６９６は、フォトセンサと表示素子とを有している。
【０１０９】
ここで、表示パネル９６９６の表面にはマーカー等を用いて自由に書き込みができる。
【０１１０】
なお、定着剤が含まれていないマーカー等を用いれば文字の消去が容易である。
【０１１１】
また、マーカーのインクを落としやすくするため、表示パネル９６９６の表面は十分な
平滑性を有していると良い。
【０１１２】
例えば、表示パネル９６９６の表面がガラス基板等であれば平滑性は充分である。
【０１１３】
また、表示パネル９６９６の表面に透明な合成樹脂シート等を貼り付けても良い。
【０１１４】
合成樹脂としては例えばアクリル等を用いると好ましい。この場合、合成樹脂シートの
表面を平滑にしておくと好ましい。
【０１１５】
そして、表示パネル９６９６は、表示素子を有しているので、特定の画像を表示すると
ともに表示パネル９６９６の表面にマーカーで記載することができる。
【０１１６】
また、表示パネル９６９６は、フォトセンサを有しているので、プリンター等と接続し
ておけばマーカーで記載した文字を読み取って印刷することも可能である。
【０１１７】
さらに、表示パネル９６９６は、フォトセンサと表示素子を有しているので、画像を表
示させた状態で表示パネル９６９６表面にマーカーで文字、図形等を書き込むことにより
、フォトセンサで読み取ったマーカーの軌跡を画像と合成して映し出すこともできる。
【０１１８】
なお、抵抗膜方式、静電容量方式等のセンシングを用いた場合、マーカー等での書き込
みと同時にしかセンシングをすることができない。
【０１１９】
一方、フォトセンサを用いた場合、マーカー等で書き込んだ後、時間が経った場合でも
いつでもセンシングが可能な点で優れている。
【０１２０】
本実施の形態は、他の実施の形態又は実施例と適宜組み合わせて実施することが可能で
ある。
【実施例１】
【０１２１】
本実施例では、パネルと光源の配置について説明する。図１１は、表示パネルの構造を
示す斜視図の一例である。図１１に示す表示パネルは、一対の基板間に液晶素子、フォト
ダイオード、薄膜トランジスタなどを含む画素が形成されたパネル１６０１と、第１の拡
散板１６０２と、プリズムシート１６０３と、第２の拡散板１６０４と、導光板１６０５
と、反射板１６０６と、複数の光源１６０７を有するバックライト１６０８と、回路基板
１６０９とを有している。
【０１２２】
パネル１６０１と、第１の拡散板１６０２と、プリズムシート１６０３と、第２の拡散
板１６０４と、導光板１６０５と、反射板１６０６とは、順に積層されている。光源１６
０７は導光板１６０５の端部に設けられており、導光板１６０５内部に拡散された光源１
６０７からの光は、第１の拡散板１６０２、プリズムシート１６０３及び第２の拡散板１
６０４によって、対向基板側から均一にパネル１６０１に照射される。
【０１２３】
なお、本実施例では、第１の拡散板１６０２と第２の拡散板１６０４とを用いているが
、拡散板の数はこれに限定されず、単数であっても３以上であっても良い。そして、拡散
板は導光板１６０５とパネル１６０１の間に設けられていれば良い。よって、プリズムシ
ート１６０３よりもパネル１６０１に近い側にのみ拡散板が設けられていても良いし、プ
リズムシート１６０３よりも導光板１６０５に近い側にのみ拡散板が設けられていても良
い。
【０１２４】
またプリズムシート１６０３は、図１１に示した断面が鋸歯状の形状に限定されず、導
光板１６０５からの光をパネル１６０１側に集光できる形状を有していれば良い。
【０１２５】
回路基板１６０９には、パネル１６０１に入力される各種信号を生成もしくは処理する
回路、パネル１６０１から出力される各種信号を処理する回路などが設けられている。そ
して図１１では、回路基板１６０９とパネル１６０１とが、ＦＰＣ（Ｆｌｅｘｉｂｌｅ  
Ｐｒｉｎｔｅｄ  Ｃｉｒｃｕｉｔ）１６１１を介して接続されている。なお、上記回路は
、ＣＯＧ（Ｃｈｉｐ  ＯＮ  Ｇｌａｓｓ）法を用いてパネル１６０１に接続されていても
良いし、上記回路の一部がＦＰＣ１６１１にＣＯＦ（Ｃｈｉｐ  ＯＮ  Ｆｉｌｍ）法を用
いて接続されていても良い。
【０１２６】
図１１では、光源１６０７の駆動を制御する、制御系の回路が回路基板１６０９に設け
られており、該制御系の回路と光源１６０７とがＦＰＣ１６１０を介して接続されている
例を示している。ただし、上記制御系の回路はパネル１６０１に形成されていても良く、
この場合はパネル１６０１と光源１６０７とがＦＰＣなどにより接続されるようにする。
【０１２７】
なお、図１１は、パネル１６０１の端に光源１６０７を配置するエッジライト型の光源
を例示しているが、本発明の表示パネルは光源１６０７がパネル１６０１の直下に配置さ
れる直下型であっても良い。
【０１２８】
例えば、被検出物である指１６１２をＴＦＴ基板側からパネル１６０１に近づけると、
バックライト１６０８からの光が、パネル１６０１を通過し、その一部が指１６１２にお
いて反射し、再びパネル１６０１に入射する。各色に対応する光源１６０７を順に点灯さ
せ、色ごとに撮像データの取得を行うことで、被検出物である指１６１２のカラーの撮像
データを得ることが出来る。
【０１２９】
本実施例は、他の実施の形態又は実施例と適宜組み合わせて実施することが可能である
。
【実施例２】
【０１３０】
本発明の一態様に係る表示装置は、高分解能である撮像データの取得を行うことができ
るという特徴を有している。よって、本発明の一態様に係る表示装置を用いた電子機器は
、表示装置をその構成要素に追加することにより、より高機能のアプリケーションを搭載
することができるようになる。本発明の表示装置は、表示装置、ノート型パーソナルコン
ピュータ、記録媒体を備えた画像再生装置（代表的にはＤＶＤ：Ｄｉｇｉｔａｌ  Ｖｅｒ
ｓａｔｉｌｅ  Ｄｉｓｃ等の記録媒体を再生し、その画像を表示しうるディスプレイを有
する装置）に用いることができる。その他に、本発明の一態様に係る表示装置を用いるこ
とができる電子機器として、携帯電話、携帯型ゲーム機、携帯情報端末、電子書籍、ビデ
オカメラ、デジタルスチルカメラ、ゴーグル型ディスプレイ（ヘッドマウントディスプレ
イ）、ナビゲーションシステム、音響再生装置（カーオーディオ、デジタルオーディオプ
レイヤー等）、複写機、ファクシミリ、プリンター、プリンター複合機、現金自動預け入
れ払い機（ＡＴＭ）、自動販売機などが挙げられる。これら電子機器の具体例を図１２に
示す。
【０１３１】
図１２（Ａ）は表示装置であり、筐体５００１、表示部５００２、支持台５００３等を
有する。本発明の一態様に係る表示装置は、表示部５００２に用いることができる。表示
部５００２に本発明の一態様に係る表示装置を用いることで、高分解能である撮像データ
の取得を行うことができ、より高機能のアプリケーションが搭載された表示装置を提供す
ることができる。なお、表示装置には、パーソナルコンピュータ用、ＴＶ放送受信用、広
告表示用などの全ての情報表示用表示装置が含まれる。
【０１３２】
図１２（Ｂ）は携帯情報端末であり、筐体５１０１、表示部５１０２、スイッチ５１０
３、操作キー５１０４、赤外線ポート５１０５等を有する。本発明の一態様に係る表示装
置は、表示部５１０２に用いることができる。表示部５１０２に本発明の一態様に係る表
示装置を用いることで、高分解能である撮像データの取得を行うことができ、より高機能
のアプリケーションが搭載された携帯情報端末を提供することができる。
【０１３３】
図１２（Ｃ）は現金自動預け入れ払い機であり、筐体５２０１、表示部５２０２、硬貨
投入口５２０３、紙幣投入口５２０４、カード投入口５２０５、通帳投入口５２０６等を
有する。本発明の一態様に係る表示装置は、表示部５２０２に用いることができる。表示
部５２０２に本発明の一態様に係る表示装置を用いることで、高分解能である撮像データ
の取得を行うことができ、より高機能のアプリケーションが搭載された現金自動預け入れ
払い機を提供することができる。そして、本発明の一態様に係る表示装置を用いた現金自
動預け入れ払い機は、指紋、顔、手形、掌紋及び手の静脈の形状、虹彩等の、生体認証に
用いられる生体情報の読み取りを、より高精度で行うことが出来る。よって、生体認証に
おける、本人であるにもかかわらず本人ではないと誤認識してしまう本人拒否率と、他人
であるにもかかわらず本人と誤認識してしまう他人受入率とを、低く抑えることができる
。
【０１３４】
図１２（Ｄ）は携帯型ゲーム機であり、筐体５３０１、筐体５３０２、表示部５３０３
、表示部５３０４、マイクロホン５３０５、スピーカー５３０６、操作キー５３０７、ス
タイラス５３０８等を有する。本発明の一態様に係る表示装置は、表示部５３０３または
表示部５３０４に用いることができる。表示部５３０３または表示部５３０４に本発明の
一態様に係る表示装置を用いることで、高分解能である撮像データの取得を行うことがで
き、より高機能のアプリケーションが搭載された携帯型ゲーム機を提供することができる
。なお、図１２（Ｄ）に示した携帯型ゲーム機は、２つの表示部５３０３と表示部５３０
４とを有しているが、携帯型ゲーム機が有する表示部の数は、これに限定されない。
【０１３５】
本実施例は、他の実施の形態又は実施例と適宜組み合わせて実施することが可能である
。
【符号の説明】
【０１３６】
１００  表示パネル
１０１  画素回路
１０２  表示素子制御回路
１０３  フォトセンサ制御回路
１０４  画素
１０５  表示素子
１０６  フォトセンサ
１０７  表示素子駆動回路
１０８  表示素子駆動回路
１０９  フォトセンサ読み出し回路
１１０  フォトセンサ駆動回路
２０１  トランジスタ
２０２  保持容量
２０３  液晶素子
２０４  フォトダイオード
２０５  トランジスタ
２０６  トランジスタ
２０７  信号線
２０８  フォトダイオードリセット信号線
２０９  信号線
２１０  ビデオデータ信号線
２１１  フォトセンサ出力信号線
２１２  フォトセンサ基準信号線
２１３  信号線
３００  フォトセンサ読み出し回路
３０１  ｐ型トランジスタ
３０２  保持容量
３０３  プリチャージ信号線
４０１〜４０５  信号
５０１  第１のフォトセンサ
５０２  第２のフォトセンサ
６０１  表示装置
６０２  画像処理部
１００１  基板
１００２  フォトダイオード
１００３  トランジスタ
１００４  保持容量
１００５  液晶素子
１００６  半導体膜
１００７  画素電極
１００８  液晶
１００９  対向電極
１０１０  導電膜
１０１１  配向膜
１０１２  配向膜
１０１３  基板
１０１４  カラーフィルタ
１０１５  遮蔽膜
１０１６  スペーサー
１０１７  偏光板
１０１８  偏光板
１０１９  導電膜
１０２１  被検出物
１０２５  矢印
１３０１  実線
１３０２  ピーク
１３０３  ピーク
１３１１  破線
１３１２  ピーク
１３２１  破線
１３２２  ピーク
１４０１  ピーク
１４０２  ピーク
１４０３  しきい値
１４０４  しきい値
１６０１  パネル
１６０２  第１の拡散板
１６０３  プリズムシート
１６０４  第２の拡散板
１６０５  導光板
１６０６  反射板
１６０７  光源
１６０８  バックライト
１６０９  回路基板
１６１０  ＦＰＣ
１６１１  ＦＰＣ
１６１２  指
２０１５  遮蔽膜
２０１９  遮蔽膜
２０１５  遮蔽膜
２０１９  遮蔽膜
２０２５  矢印
５００１  筐体
５００２  表示部
５００３  支持台
５１０１  筐体
５１０２  表示部
５１０３  スイッチ
５１０４  操作キー
５１０５  赤外線ポート
５２０１  筐体
５２０２  表示部
５２０３  硬貨投入口
５２０４  紙幣投入口
５２０５  カード投入口
５２０６  通帳投入口
５３０１  筐体
５３０２  筐体
５３０３  表示部
５３０４  表示部
５３０５  マイクロホン
５３０６  スピーカー
５３０７  操作キー
５３０８  スタイラス
９６９６  表示パネル
【図１】
0005947363.tif 000002
【図２】
0005947363.tif 000003
【図３】
0005947363.tif 000004
【図４】
0005947363.tif 000005
【図５】
0005947363.tif 000006
【図６】
0005947363.tif 000007
【図７】
0005947363.tif 000008
【図８】
0005947363.tif 000009
【図９】
0005947363.tif 000010
【図１０】
0005947363.tif 000011
【図１１】
0005947363.tif 000012
【図１２】
0005947363.tif 000013
【図１３】
0005947363.tif 000014
【図１４】
0005947363.tif 000015